(57)【要約】【課題】貨幣処理機で受け付けることができない媒体の管理を容易且つ十分に行う。【解決手段】一の取引に関連して、外部ＩＣタグリーダライタ５５によって、投函袋４０に設けられたＩＣタグ４５を検出すると、当該ＩＣタグ４５に媒体の種別を表す種別情報と媒体の金額を特定するための金額特定情報とを含むＩＣタグ情報としての媒体情報を書き込むとともに、当該ＩＣタグ４５の個別識別番号および媒体情報を当該一の取引に対し割り当てられた取引識別番号と関連付けて記憶手段に記憶する書込関連付制御手段と、当該一の取引に関連して投函袋４０がポスト３１内に投函されると、内部ＩＣタグリーダ５０によって投函袋４０に設けられたＩＣタグ４５の個別識別番号を読み取って、当該個別識別番号が当該一の取引に対し記憶手段に記憶されている個別識別番号と一致するか否かを確認する投函確認手段とを有する。【選択図】図１
2010198450.tif 000002
【特許請求の範囲】
【請求項１】
貨幣を受け付ける貨幣処理機と、
該貨幣処理機に設けられて操作入力が行われる操作入力手段と、
前記貨幣処理機で受け付けできない媒体を収納する投函袋と、
前記貨幣処理機に設けられて投函された前記投函袋を収納するポストと、
前記操作入力手段への操作入力に基づく一の取引に関連して前記貨幣処理機で受け付けた貨幣の取引情報を当該一の取引に対し割り当てられた取引識別番号と関連付けて記憶する記憶手段とを備えた貨幣処理システムであって、
前記投函袋にはＩＣタグが設けられ、
前記貨幣処理機には前記ポスト外で前記投函袋の前記ＩＣタグのＩＣタグ情報を読み書き可能な外部ＩＣタグリーダライタが設けられ、
前記ポスト内には該ポスト内に投函された前記投函袋の前記ＩＣタグに記憶されたＩＣタグ情報を読み取る内部ＩＣタグリーダが設けられており、
一の取引に関連して、前記外部ＩＣタグリーダライタによって、前記投函袋に設けられた前記ＩＣタグを検出すると、当該ＩＣタグに前記操作入力手段への操作入力に基づく前記媒体の種別を表す種別情報と前記媒体の金額を特定するための金額特定情報とを含むＩＣタグ情報としての媒体情報を書き込むとともに、当該ＩＣタグの個別識別番号および媒体情報を当該一の取引に対し割り当てられた取引識別番号と関連付けて前記記憶手段に記憶する書込関連付制御手段と、
当該一の取引に関連して前記投函袋が前記ポスト内に投函されると、前記内部ＩＣタグリーダによって前記投函袋に設けられた前記ＩＣタグの個別識別番号を読み取って、当該個別識別番号が当該一の取引に対し前記記憶手段に記憶されている個別識別番号と一致するか否かを確認する投函確認手段とを有することを特徴とする貨幣処理システム。
【請求項２】
前記内部ＩＣタグリーダで前記ポスト内に投函されているすべての前記投函袋の前記ＩＣタグの個別識別番号を読み取って、該個別識別番号と、前記記憶手段に記憶済みの個別識別番号とが一致するか不一致であるかを判定するポスト内確認処理を行うポスト内確認手段を有することを特徴とする請求項１に記載の貨幣処理システム。
【請求項３】
前記内部ＩＣタグリーダとして、前記ポスト内に一の投函袋が投函されると該一の投函袋の前記ＩＣタグの個別識別番号を読み取る個別読取用内部ＩＣタグリーダと、前記ポスト内に投函されているすべての前記投函袋の前記ＩＣタグの個別識別番号を読み取る全体読取用内部ＩＣタグリーダとが別々に設けられていることを特徴とする請求項２に記載の貨幣処理システム。
【請求項４】
前記ポスト内確認手段が、前記ポスト内確認処理で不一致であると判定すると、警告を行う警告手段を有することを特徴とする請求項２または３に記載の貨幣処理システム。
【請求項５】
前記操作入力手段に全回収操作が入力されると、前記内部ＩＣタグリーダで、すべての前記ＩＣタグが検出不可な状態になったか否かを確認する全回収確認手段を有することを特徴とする請求項１乃至４のいずれか一項に記載の貨幣処理システム。
【請求項６】
前記操作入力手段に取引識別番号または個別識別番号を指定した個別回収操作が入力されると、前記内部ＩＣタグリーダで、指定された取引識別番号に対応する個別識別番号または指定された個別識別番号が記憶された前記投函袋の前記ＩＣタグが検出不可な状態になり且つ当該ＩＣタグ以外のＩＣタグが検出不可な状態になっていないか、否かを確認する個別回収確認手段を有することを特徴とする請求項１乃至５のいずれか一項に記載の貨幣処理システム。
【請求項７】
前記貨幣処理機から遠隔位置に設けられて、前記媒体の媒体情報の操作入力が行われる媒体情報入力手段と、
前記貨幣処理機から遠隔位置に設けられて、前記媒体情報入力手段への入力に基づき前記媒体の媒体情報を前記投函袋の前記ＩＣタグに書き込むＩＣタグライタとを備え、
一の取引に関連して、前記外部ＩＣタグリーダライタによって、前記投函袋に設けられた前記ＩＣタグを検出すると、前記外部ＩＣタグリーダライタは前記ＩＣタグの個別識別番号および媒体情報を読み取ることになり、
前記媒体情報入力手段への入力に基づき前記ＩＣタグライタによって書込済みの媒体情報を読み出した場合には、前記操作入力手段への操作入力に基づいて当該書込済みの媒体情報を、修正するか否かを選択確認する媒体情報修正要否確認手段を有することを特徴とする請求項１乃至６のいずれか一項に記載の貨幣処理システム。
【請求項８】
前記媒体情報修正要否確認手段によって、前記書込済みの媒体情報を修正することが選択された場合には、
前記ＩＣタグに記憶された前記書込済みの媒体情報を修正する媒体情報修正手段が機能するとともに、
当該媒体情報修正手段は前記外部ＩＣタグリーダライタによって、前記ＩＣタグの個別識別番号および前記媒体情報を前記一の取引に対し割り当てられた取引識別番号と関連付けて前記記憶手段に記憶することを特徴とする請求項７に記載の貨幣処理システム。
【発明の詳細な説明】
【技術分野】
【０００１】
本発明は、貨幣処理システムに関する。
【背景技術】
【０００２】
主に銀行等の金融機関で使用される出納機においては、紙幣や硬貨の入金や出金等の処理時にこれら貨幣の貨幣処理機による自動計数を行うことになるが、貨幣処理機による自動計数ができない小切手や手形等の機械受付不可な媒体については、別途手入力にて金額データ等の必要データの入力操作を行い、媒体を、出納機に付属されたポストへ投入して管理することが行われている（例えば、特許文献１参照）。
【先行技術文献】
【特許文献】
【０００３】
【特許文献１】特開２００３−１５０７９３号公報
【発明の概要】
【発明が解決しようとする課題】
【０００４】
しかしながら、ポストに単に収納するのみでは、貨幣処理機で受け付けることができない媒体の管理が十分とは言えなかった。
【０００５】
したがって、本発明は、貨幣処理機で受け付けることができない媒体の管理を容易且つ十分に行うことができる貨幣処理システムの提供を目的とする。
【課題を解決するための手段】
【０００６】
上記目的を達成するために、請求項１に係る発明は、貨幣を受け付ける貨幣処理機と、該貨幣処理機に設けられて操作入力が行われる操作入力手段と、前記貨幣処理機で受け付けできない媒体を収納する投函袋と、前記貨幣処理機に設けられて投函された前記投函袋を収納するポストと、前記操作入力手段への操作入力に基づく一の取引に関連して前記貨幣処理機で受け付けた貨幣の取引情報を当該一の取引に対し割り当てられた取引識別番号と関連付けて記憶する記憶手段とを備えた貨幣処理システムであって、前記投函袋にはＩＣタグが設けられ、前記貨幣処理機には前記ポスト外で前記投函袋の前記ＩＣタグのＩＣタグ情報を読み書き可能な外部ＩＣタグリーダライタが設けられ、前記ポスト内には該ポスト内に投函された前記投函袋の前記ＩＣタグに記憶されたＩＣタグ情報を読み取る内部ＩＣタグリーダが設けられており、一の取引に関連して、前記外部ＩＣタグリーダライタによって、前記投函袋に設けられた前記ＩＣタグを検出すると、当該ＩＣタグに前記操作入力手段への操作入力に基づく前記媒体の種別を表す種別情報と前記媒体の金額を特定するための金額特定情報とを含むＩＣタグ情報としての媒体情報を書き込むとともに、当該ＩＣタグの個別識別番号および媒体情報を当該一の取引に対し割り当てられた取引識別番号と関連付けて前記記憶手段に記憶する書込関連付制御手段と、当該一の取引に関連して前記投函袋が前記ポスト内に投函されると、前記内部ＩＣタグリーダによって前記投函袋に設けられた前記ＩＣタグの個別識別番号を読み取って、当該個別識別番号が当該一の取引に対し前記記憶手段に記憶されている個別識別番号と一致するか否かを確認する投函確認手段とを有することを特徴としている。
【０００７】
請求項２に係る発明は、請求項１に係る発明において、前記内部ＩＣタグリーダで前記ポスト内に投函されているすべての前記投函袋の前記ＩＣタグの個別識別番号を読み取って、該個別識別番号と、前記記憶手段に記憶済みの個別識別番号とが一致するか不一致であるかを判定するポスト内確認処理を行うポスト内確認手段を有することを特徴としている。
【０００８】
請求項３に係る発明は、請求項２に係る発明において、前記内部ＩＣタグリーダとして、前記ポスト内に一の投函袋が投函されると該一の投函袋の前記ＩＣタグの個別識別番号を読み取る個別読取用内部ＩＣタグリーダと、前記ポスト内に投函されているすべての前記投函袋の前記ＩＣタグの個別識別番号を読み取る全体読取用内部ＩＣタグリーダとが別々に設けられていることを特徴としている。
【０００９】
請求項４に係る発明は、請求項２または３に係る発明において、前記ポスト内確認手段が、前記ポスト内確認処理で不一致であると判定すると、警告を行う警告手段を有することを特徴としている。
【００１０】
請求項５に係る発明は、請求項１乃至４のいずれか一項に係る発明において、前記操作入力手段に全回収操作が入力されると、前記内部ＩＣタグリーダで、すべての前記ＩＣタグが検出不可な状態になったか否かを確認する全回収確認手段を有することを特徴としている。
【００１１】
請求項６に係る発明は、請求項１乃至５のいずれか一項に係る発明において、前記操作入力手段に取引識別番号または個別識別番号を指定した個別回収操作が入力されると、前記内部ＩＣタグリーダで、指定された取引識別番号に対応する個別識別番号または指定された個別識別番号が記憶された前記投函袋の前記ＩＣタグのみが検出不可な状態になったか否かを確認する個別回収確認手段を有することを特徴としている。
【００１２】
請求項７に係る発明は、請求項１乃至６のいずれか一項に係る発明において、前記貨幣処理機から遠隔位置に設けられて、前記媒体の媒体情報の操作入力が行われる媒体情報入力手段と、前記貨幣処理機から遠隔位置に設けられて、前記媒体情報入力手段への入力に基づき前記媒体の媒体情報を前記投函袋の前記ＩＣタグに書き込むＩＣタグライタとを備え、一の取引に関連して、前記外部ＩＣタグリーダライタによって、前記投函袋に設けられた前記ＩＣタグを検出すると、前記外部ＩＣタグリーダライタは前記ＩＣタグの個別識別番号および媒体情報を読み取ることになり、前記媒体情報入力手段への入力に基づき前記ＩＣタグライタによって書込済みの媒体情報を読み出した場合には、前記操作入力手段への操作入力に基づいて当該書込済みの媒体情報を、修正するか否かを選択確認する媒体情報修正要否確認手段を有することを特徴としている。
【００１３】
請求項８に係る発明は、請求項７に係る発明において、前記媒体情報修正要否確認手段によって、前記書込済みの媒体情報を修正することが選択された場合には、前記ＩＣタグに記憶された前記書込済みの媒体情報を修正する媒体情報修正手段が機能するとともに、当該媒体情報修正手段は前記外部ＩＣタグリーダライタによって、前記ＩＣタグの個別識別番号および前記媒体情報を前記一の取引に対し割り当てられた取引識別番号と関連付けて前記記憶手段に記憶することを特徴としている。
【発明の効果】
【００１４】
請求項１に係る発明によれば、操作入力手段への操作入力に基づく一の取引に関連して貨幣処理機で受け付けた貨幣の取引情報を当該一の取引に対し割り当てられた取引識別番号と関連付けて記憶手段に記憶することになるが、貨幣処理機で受け付けできない媒体については、投函袋に収納されてポストに投函されることになる。その際に、貨幣処理機に設けられた外部ＩＣタグリーダライタによって、投函袋のＩＣタグを検出すると、書込関連付制御手段が、当該ＩＣタグに操作入力手段への操作入力に基づく媒体の種別を表す種別情報と媒体の金額を特定するための金額特定情報とを含むＩＣタグ情報としての媒体情報を書き込むとともに、当該ＩＣタグの個別識別番号および媒体情報を当該一の取引に対し割り当てられた取引識別番号と関連付けて記憶手段に記憶することになる。これにより、一の取引の取引識別番号に対し貨幣処理機で受け付けた貨幣の取引情報と投函袋のＩＣタグの個別識別番号と投函袋内の媒体の媒体情報とが関連付けされて記憶されることになる。よって、ポスト内の媒体がどの取引に対してのものであるかおよびその中身を示す媒体情報が明確になる。したがって、貨幣処理機で受け付けることができない媒体の管理を容易且つ良好に行うことができる。しかも、当該一の取引に関連して投函袋がポスト内に投函されると、内部ＩＣタグリーダによって投函袋に設けられたＩＣタグの個別識別番号を読み取ることになり、投函確認手段が、当該個別識別番号が当該一の取引に対し記憶手段に記憶されている個別識別番号と一致するか否かを確認することになるため、異なる投函袋が投入される等の投函ミスを防止することができる。
【００１５】
請求項２に係る発明によれば、ポスト内確認手段が、内部ＩＣタグリーダでポスト内に投函されているすべての投函袋のＩＣタグの個別識別番号を読み取って、この個別識別番号と、記憶手段に記憶済みの個別識別番号とが一致するか不一致であるかを判定するポスト内確認処理を行うため、ポスト内の投函袋について、ポストへの投函時のみでなく、常時の監視が可能になる。よって、ポスト内の投函袋の管理がさらに良好になる。
【００１６】
請求項３に係る発明によれば、個別読取用内部ＩＣタグリーダによって、ポスト内に一の投函袋が投函されると該一の投函袋のＩＣタグの個別識別番号を読み取ることになり、これとは別の全体読取用内部ＩＣタグリーダによって、ポスト内に投函されているすべての投函袋のＩＣタグの個別識別番号を読み取ることになるため、それぞれの読み取り精度を向上することができる。
【００１７】
請求項４に係る発明によれば、ポスト内確認処理が不一致であるとポスト内確認手段で判定すると、警告手段が警告を行うことになるため、不正等が生じた場合に、これを報知することができる。
【００１８】
請求項５に係る発明によれば、操作入力手段に全回収操作が入力されると、全回収確認手段が、内部ＩＣタグリーダで、ポスト内のすべてのＩＣタグが検出不可な状態になったか否かを確認するため、例えばポスト内に取り忘れの投函袋が残ってしまうこと等を防止できる。
【００１９】
請求項６に係る発明によれば、操作入力手段に取引識別番号または個別識別番号を指定した個別回収操作が入力されると、個別回収確認手段が、内部ＩＣタグリーダで、指定された取引識別番号に対応する個別識別番号または指定された個別識別番号が記憶された投函袋のＩＣタグのみがポスト内で検出不可な状態になったか否かを確認するため、間違った投函袋が取り出されてしまうこと等を防止できる。
【００２０】
請求項７に係る発明によれば、遠隔位置に設けられた媒体情報入力手段およびＩＣタグライタによって事前にＩＣタグに媒体情報が書き込まれている場合には、媒体情報修正要否確認手段によって、事前入力した媒体情報を確認の上で、修正するか否かを選択できることになる。
【００２１】
請求項８に係る発明によれば、請求項７に係る発明によって書き換えの確認をした上で、媒体情報修正手段によって媒体情報を書き換えることができる。
【図面の簡単な説明】
【００２２】
【図１】本発明の一実施形態に係る貨幣処理システムの全体構成図である。
【図２】本発明の一実施形態に係る貨幣処理システムのブロック図である。
【図３】本発明の一実施形態に係る貨幣処理システムのパーソナルコンピュータの制御内容を示すフローチャートである。
【図４】本発明の一実施形態に係る貨幣処理システムの投函袋のＩＣタグのＩＣタグ情報の例を示す図である。
【図５】本発明の一実施形態に係る貨幣処理システムの貨幣処理機の制御内容の一部を示すフローチャートである。
【図６】本発明の一実施形態に係る貨幣処理システムの貨幣処理機の制御内容の一部を示すフローチャートである。
【図７】本発明の一実施形態に係る貨幣処理システムの貨幣処理機の制御内容の一部を示すフローチャートである。
【図８】本発明の一実施形態に係る貨幣処理システムの貨幣処理機の記憶部の記憶情報の例を示す図である。
【発明を実施するための形態】
【００２３】
本発明の一実施形態に係る貨幣処理システムを図面を参照して以下に説明する。
【００２４】
図１は、本実施形態に係る貨幣処理システム１を示すものである。この貨幣処理システム１は、銀行等の金融機関の店舗に設置されるもので、貨幣についての入出金処理等の種々の処理が可能な出納機である貨幣処理機２と、この貨幣処理機２に対して離れた遠隔位置である担当者の机上等に設けられるパーソナルコンピュータ３とで構成されている。
【００２５】
貨幣を受け付ける貨幣処理機２は、紙幣についての処理を行う紙幣処理機構部１１と、硬貨についての処理を行う硬貨処理機構部１２とが左右に並設されている。紙幣処理機構部１１は、バラ紙幣の入金処理、バラ紙幣の出金処理および小束紙幣の出金処理等の紙幣に関する種々の処理が可能となっており、硬貨処理機構部１２は、バラ硬貨の入金処理およびバラ硬貨の出金処理等の硬貨に関する種々の処理が可能となっている。
【００２６】
貨幣処理機２には、その紙幣処理機構部１１側に、担当者によって操作入力がなされるとともに担当者に対して表示を行う操作表示部１５と、入金処理時に担当者に対してバラ紙幣のやり取りを行う紙幣入出部１６と、出金処理時に担当者に対して小束紙幣を出金する小束紙幣出金部１７と、記憶データを印字するプリンタ１８とが設けられている。紙幣入出部１６は、担当者によるバラ紙幣の入金を受け付けるとともに入金されたバラ紙幣の中から偽券あるいは汚損券等と判別されたリジェクト紙幣を担当者に取出可能にリジェクトし、出金処理時にバラ紙幣を担当者に取出可能に出金するものである。
【００２７】
また、貨幣処理機２には、その硬貨処理機構部１２側に、入金処理時に担当者によるバラ硬貨の入金を受け付ける硬貨入金部２１と、入金されたバラ硬貨の中から偽硬貨あるいは汚損硬貨等と判別されたリジェクト硬貨を担当者に取出可能にリジェクトする硬貨リジェクト部２２と、バラ硬貨の出金処理時にバラ硬貨を担当者に取出可能に出金する硬貨出金部２３とが設けられている。
【００２８】
操作表示部１５は、担当者に対して操作ガイダンス等の情報を表示する表示部（警告手段）２６と、担当者のＩＤカードを走査するカードリーダ（操作入力手段）２７と、担当者により操作される操作キーボード（操作入力手段）２８と、音声発生部（警告手段）２９等とを有している。
【００２９】
そして、本実施形態に係る貨幣処理機２には、その硬貨処理機構部１２の上面にポスト３１が搭載されている。貨幣処理機２に設けられたこのポスト３１は、中間位置から下側の下部分割体３２と、中間位置から上側にあって下部分割体３２に対し揺動開閉可能に設けられた上部分割体３３とからなる箱状をなしている。上部分割体３３には、正面に、内外を連通させる横長の投函口３４とこの投函口３４を揺動開閉するシャッタ３５と、シャッタ３５を閉状態でロックする電磁ロック３６と、上部分割体３３と下部分割体３２とを別体のキー３７で閉塞固定および固定解除するキーシリンダ３８とが設けられている。
【００３０】
ここで、ポスト３１には、貨幣処理機２で受け付けできない小切手や手形等の貨幣以外の金銭的価値のある支払い手段および貨幣処理機２で受け付けできない汚損貨幣等の機械受付不可媒体（媒体）が、投函袋４０に収納された状態で投函口３４から投函されるようになっている。
【００３１】
投函袋４０は、一縁部に開閉可能なファスナ部４２が設けられ開状態のファスナ部４２を介して機械受付不可媒体が出し入れされる透明材料からなる袋本体４３と、この袋本体４３に貼り付けられた表示ラベル４４と、表示ラベル４４に埋設されたＩＣタグ４５とを有しており、ＩＣタグ４５には、ＩＣタグ情報が記憶可能となっている。ここで、ＩＣタグ情報は、ＩＣタグ４５を他のＩＣタグ４５と区別するための個別識別番号と、投函袋４０に収納された機械受付不可媒体についての少なくとも種別を表す種別情報および金額を特定するための金額特定情報（枚数または金額）を含む媒体情報等とである。表示ラベル４４には、ＩＣタグ４５に記憶された個別識別番号を目視可能に表示する番号表記部４６が設けられている。
【００３２】
ポスト３１内には、ポスト３１内に投函口３４から一の投函袋４０が投函されるとこの一の投函袋４０のＩＣタグ４５に記憶されたＩＣタグ情報を読み取る個別読取用内部ＩＣタグリーダ（内部ＩＣタグリーダ）５０と、ポスト３１内に投函されているすべての投函袋４０のＩＣタグ４５のＩＣタグ情報を読み取る全体読取用内部ＩＣタグリーダ（内部ＩＣタグリーダ）５１とが別々に設けられている。ここで、ポスト３１は、電波を遮蔽する遮蔽材料で形成されており、内部に設けられた複数の内部ＩＣタグリーダ５０，５１は、ポスト３１内のＩＣタグ４５のみに通信可能となっている。
【００３３】
また、ポスト３１上には、ポスト３１外で投函袋４０のＩＣタグ４５に記憶されたＩＣタグ情報を読み取る外部ＩＣタグリーダライタ５５が設けられている。この外部ＩＣタグリーダライタ５５は、操作キーボード２８への操作入力に基づいて、投函袋４０のＩＣタグ４５に媒体情報を書き込んだり、投函袋４０のＩＣタグ４５に記憶された媒体情報を書き換えたりすることも可能となっている。この外部ＩＣタグリーダライタ５５も、ポスト３１が遮蔽材料で形成されていることから、ポスト３１内にあるＩＣタグ４５に対しては読み書き不可となっている。
【００３４】
貨幣処理機２の上記した各部は、図２に示すように、内蔵された制御部５８によって制御されることになり、貨幣処理機２の各種の処理のデータは、貨幣処理機２に内蔵された記憶部（記憶手段）５９に記憶されることになる。
【００３５】
貨幣処理機２から遠隔位置に設けられるパーソナルコンピュータ３には、図１に示すように、担当者によって操作入力がなされる操作部（媒体情報入力手段）６１と、担当者に対して表示を行う表示部６２と、操作部６１への入力に基づき投函袋４０のＩＣタグ４５にＩＣタグ情報を書き込むＩＣタグライタ６３と、これらを制御する制御部６４を有するＰＣ本体６５とで構成されている。
【００３６】
次に、上記した貨幣処理機２、パーソナルコンピュータ３および複数の投函袋４０により構成される貨幣処理システム１の制御内容について説明する。
【００３７】
担当者が現金と小切手等の機械受付不可媒体とを入金するにあたって、例えば自席のパーソナルコンピュータ３によって、入金する小切手等の機械受付不可媒体の媒体情報を投函袋４０のＩＣタグ４５に記憶させる。その際の、制御部６４の制御は図３に示すフローチャートにしたがって行われる。
【００３８】
つまり、担当者がログインしたパーソナルコンピュータ３によって媒体情報記憶用ソフトを立ち上げると、パーソナルコンピュータ３の制御部６４が、媒体情報として媒体の種別（小切手、手形等）を表す種別情報とその金額を特定するための金額特定情報（枚数または金額）とを、すべての種類の機械受付不可媒体について順次操作部６１を介して入力するように、表示部６２により案内表示を行う。この案内表示にしたがって担当者は一の種類の機械受付不可媒体について媒体情報である種別情報（例えば小切手であることを示す種別情報）と金額特定情報とを関連付けて操作部６１に入力し、次の一の種類の機械受付不可媒体について種別情報（例えば１万円券の汚損券であることを示す種別情報）と金額特定情報とを関連付けて操作部６１に入力し、次の一の種類の機械受付不可媒体について種別情報（例えば５００円硬貨の変形硬貨であることを示す種別情報）と金額特定情報とを関連付けて操作部６１に入力するという操作を適宜繰り返す。つまり、制御部６４は、媒体情報である種別情報および金額特定情報の入力を受け付ける入力受付処理を行う（ステップＳＡ１）。
【００３９】
そして、種別情報および金額特定情報を確定する操作が操作部６１に入力されると、制御部６４は、入力受付処理を終了し、投函袋４０の表示ラベル４４をＩＣタグライタ６３に近づけるように表示部６２で案内し、これを見て担当者は、投函袋４０の表示ラベル４４をＩＣタグライタ６３に近づけることになる。そして、ＩＣタグライタ６３が、表示ラベル４４に埋設されたＩＣタグ４５を検出すると（ステップＳＡ２：ＹＥＳ）、制御部６４は、このＩＣタグ４５に、ＩＣタグライタ６３によって、図４に示すように、上記のようにして入力が確定されたそれぞれの種別情報および金額特定情報を、ログイン情報から割り出される記憶担当者識別番号およびその時点の日時情報であるＩＣタグ記憶日時情報とともに媒体情報として記憶する（ステップＳＡ３）。このようにして、ＩＣタグ４５に、ＩＣタグ情報として、書き換え不可な個別識別番号とともに媒体情報が記憶された投函袋４０に対して、担当者が、ファスナ部４２を開いて情報登録した機械受付不可媒体を収納し、ファスナ部４２を閉じる。
【００４０】
その後、担当者が、現金と、小切手等の機械受付不可媒体を収納した投函袋４０とを持って貨幣処理機２に行き、貨幣処理機２によって入金を行う。その際の、貨幣処理機２の制御部５８の制御は、図５〜図７に示すフローチャートにしたがって行われる。
【００４１】
つまり、担当者は、貨幣処理機２の操作表示部１５のカードリーダ２７にＩＤカードを走査させることになり、これを受けて、制御部５８が、ＩＤカードから読み出した担当者の取引担当者識別番号を確認する。そして、制御部５８は、取引担当者識別番号が適正でなければ（ステップＳＢ１：ＮＯ）、その旨の警告表示を表示部２６に表示させるとともに警告音声を音声発生部２９で発生させる（ステップＳＢ２）。担当者が、操作キーボード２８に警告解除操作を入力すると（ステップＳＢ３：ＹＥＳ）、制御部５８は、一旦制御を終了する。
【００４２】
取引担当者識別番号が適正であれば（ステップＳＢ１：ＹＥＳ）、一の取引を開始すると判定して（ステップＳＢ４）、操作ガイドを表示部２６に表示することになる。この操作ガイドの中の入金処理が選択されると（ステップＳＢ５：ＹＥＳ）、制御部５８は、現金についての入金処理である現金入金処理を実行するか否かの選択操作を促す表示を表示部２６に表示させることになり、現金入金処理の実行が選択されると（ステップＳＢ６：ＹＥＳ）、現金入金処理を実行する（ステップＳＢ７）。
【００４３】
つまり、現金入金処理の開始にあたって、紙幣入出部１６および硬貨入金部２１を開くとともに、紙幣処理機構部１１への紙幣の投入および硬貨処理機構部１２への硬貨の投入を促す。これを見て担当者は、現金のうちの紙幣を紙幣入出部１６に投入し、現金のうちの硬貨を硬貨入金部２１に投入して、操作キーボード２８にスタート操作を入力する。すると、制御部５８は、紙幣入出部１６および硬貨入金部２１を閉じるとともに、紙幣処理機構部１１で紙幣の識別計数を行い、硬貨処理機構部１２で硬貨の識別計数を行う。その際に、紙幣処理機構部１１は、識別不可な汚損紙幣等を紙幣入出部１６に戻すことになり、硬貨処理機構部１２は、識別不可な汚損紙幣等を硬貨リジェクト部２２に放出することになる。
【００４４】
投入されたすべての紙幣および硬貨の識別計数が終了すると、制御部５８は、この一の取引の計数結果を表示部２６に表示することになり、これを見て担当者が承認操作を操作キーボード２８に入力すると、制御部５８は、現金入金処理を終了し、この現金入金処理の取引の計数結果を含む貨幣処理機２で受け付けた貨幣の取引情報を、この一の取引に対し割り当てられた取引識別番号、取引担当者識別番号および取引開始時点の日時情報である取引日時情報と関連付けて記憶部５９に記憶することになる（ステップＳＢ８）。言い換えれば、記憶部５９は、カードリーダ２７へのＩＤカードの走査および操作キーボード２８への操作入力に基づく一の取引に関連して貨幣処理機１で受け付けた貨幣の取引情報を当該一の取引に対し割り当てられた取引識別番号と関連付けて記憶することになる。
【００４５】
ステップＳＢ８での取引情報の記憶後、およびステップＳＢ６で現金入金処理の実行が選択されなかった場合（ステップＳＢ６：ＮＯ）、制御部５８は、表示部２６に、貨幣処理機２で受け付けできない、小切手等の現金以外の貨幣的価値を有する交換媒体および汚損貨幣等の機械受付不可媒体の入金を行うか否かの判断入力を促す表示を行う。これに対し、操作キーボード２８に機械受付不可媒体の入金を行わない旨の入力がなされると（ステップＳＢ９：ＮＯ）、制御部５８は、この一の取引を終了と判定することになる（ステップＳＢ１０）。
【００４６】
他方、操作キーボード２８に機械受付不可媒体の入金を行う旨の入力がされると（ステップＳＢ９：ＹＥＳ）、制御部５８は、予め機械受付不可媒体の媒体情報が投函袋４０のＩＣタグ４５に記憶されているか否かの判断入力を促す表示を行う。これに対し、操作キーボード２８に媒体情報が記憶されている旨の入力がなされると（ステップＳＢ１１：ＹＥＳ）、制御部５８は、投函袋４０の表示ラベル４４を外部ＩＣタグリーダライタ５５に近づけるように表示部２６で案内し、これを見て担当者は、投函袋４０の表示ラベル４４を外部ＩＣタグリーダライタ５５に近づけることになる。
【００４７】
そして、外部ＩＣタグリーダライタ５５が、ＩＣタグ４５を検出する、つまり、このＩＣタグ４５からＩＣタグ情報を読み取ることができると（ステップＳＢ１２：ＹＥＳ）、このＩＣタグ情報から、制御部５８は、ＩＣタグ情報に媒体情報が含まれているか、つまり媒体情報がＩＣタグ４５に記憶されているか否かを判定する（ステップＳＢ１３）。媒体情報がＩＣタグ４５に記憶されていれば（ステップＳＢ１３：ＹＥＳ）、制御部（媒体情報修正要否確認手段）５８は、媒体情報の修正がないかあるか判断入力を促す表示を行う。これに対し、操作キーボード２８に、媒体情報の修正がない旨の入力がなされると（ステップＳＢ１４：ＹＥＳ）、制御部５８は、その書込関連付制御手段５８Ａが、図８に示すように、ＩＣタグ４５に記憶されている、ステップＳＢ１２で読み込んだ種別情報、金額特定情報、記憶担当者識別番号およびＩＣタグ記憶日時情報を含む媒体情報と、ステップＳＢ１２で読み込んだこのＩＣタグ４５のＩＣタグ情報に含まれる個別識別番号とを、この一の取引に対し割り当てられた取引識別番号、取引担当者識別番号および取引日時情報と関連付けて記憶部５９のポスト情報記憶エリアに記憶する（ステップＳＢ１５）。
【００４８】
そして、制御部５８は、ポスト３１の電磁ロック３６によるシャッタ３５のロックを解除し（ステップＳＢ１６）、投函袋４０のポスト３１への投函を許容するとともに、投函袋４０のポスト３１への投函を促す表示を表示部２６に表示させる。
【００４９】
これにより、担当者が、機械受付不可媒体を収納した投函袋４０をロックが解除されたシャッタ３５を開いてポスト３１へ投函する。すると、個別読取用内部ＩＣタグリーダ５０が投函袋４０のＩＣタグ４５を検出しそのＩＣタグ情報を読み取ることができると（ステップＳＢ１７：ＹＥＳ）、制御部５８は、その投函確認手段５８Ｂが、このＩＣタグ情報に含まれる個別識別番号が、この一の取引に対し記憶部５９のポスト情報記憶エリアに記憶されている個別識別番号、つまりステップＳＢ１５で記憶した個別識別番号と一致するか否かを確認する（ステップＳＢ１８）。いずれもこの一の取引に関するものである、個別読取用内部ＩＣタグリーダ５０でＩＣタグ４５から読み取った個別識別番号と記憶部５９のポスト情報記憶エリアに記憶されている個別識別番号とが一致すれば（ステップＳＢ１８：ＹＥＳ）、正常であると判定して、制御部５８は、この一の取引を終了と判定することになる（ステップＳＢ１０）。つまり、制御部５８の投函確認手段５８Ｂは、一の取引に関連して投函袋４０がポスト３１内に投函されると、個別読取用内部ＩＣタグリーダ５０によって投函袋４０に設けられたＩＣタグ４５の個別識別番号を読み取って、この個別識別番号がこの一の取引に対し記憶部５９に記憶されている個別識別番号と一致するか否かを確認する。
【００５０】
これらの個別識別番号が不一致の場合（ステップＳＢ１８：ＮＯ）、その旨の警告表示を表示部２６に表示させるとともに警告音声を音声発生部２９で発生させる（ステップＳＢ１９）。担当者が、操作キーボード２８に警告解除操作を入力すると（ステップＳＢ２０：ＹＥＳ）、制御部５８は、一旦、この一の取引を終了と判定することになる（ステップＳＢ１０）。
【００５１】
また、上記ステップＳＢ１４において、操作キーボード２８に媒体情報の修正を行う旨の入力がなされると（ステップＳＢ１４：ＮＯ）、操作キーボード２８を介しての修正の入力を受け付ける修正受付処理を行う（ステップＳＢ２１）。例えば、機械受付不可媒体として新たに汚損貨幣が生じた場合等に、この修正受付処理において、担当者は、その種別情報および金額特定情報を追加で入力することになる。
【００５２】
そして、追加修正を確定する操作が操作キーボード２８に入力されると、制御部５８は、修正受付処理を終了し、投函袋４０の表示ラベル４４を外部ＩＣタグリーダライタ５５に近づけるように表示部２６で案内し、これを見て担当者は、投函袋４０のＩＣタグ４５を外部ＩＣタグリーダライタ５５に近づけることになる。
【００５３】
そして、外部ＩＣタグリーダライタ５５で、ＩＣタグ４５を検出しそのＩＣタグ情報を読み取ることができると（ステップＳＢ２２：ＹＥＳ）、制御部５８は、外部ＩＣタグリーダライタ５５によって、このＩＣタグ４５に、ステップＳＢ２１の修正受付処理で追加修正された種別情報および金額特定情報を、記憶担当者識別番号（この場合、取引担当者識別番号と同じとなる）およびその時点の日時情報であるＩＣタグ記憶日時情報とともに媒体情報として、それまで記憶されていた媒体情報に追加して記憶する（ステップＳＢ２３）。つまり、貨幣処理機２に設けられた外部ＩＣタグリーダライタ５５は、操作キーボード２８への操作入力に基づいて投函袋４０のＩＣタグ４５に記憶された媒体情報を書き換える。さらに、制御部（媒体情報修正手段）５８は、その書込関連付制御手段５８Ａが、この媒体情報と、ステップＳＢ２２で読み込んだＩＣタグ情報に含まれるＩＣタグ４５の個別識別番号とを、この一の取引に対し割り当てられた取引識別番号、取引担当者識別番号および取引日時情報と関連付けて記憶部５９のポスト情報記憶エリアに記憶する（ステップＳＢ１５）。
【００５４】
以降、上記と同様に、制御部５８は、ポスト３１の電磁ロック３６によるシャッタ３５のロックを解除し（ステップＳＢ１６）、個別読取用内部ＩＣタグリーダ５０が投函袋４０のＩＣタグ４５を検出しそのＩＣタグ情報を読み取ると（ステップＳＢ１７：ＹＥＳ）、その投函確認手段５８Ｂが、このＩＣタグ情報に含まれる個別識別番号が、この一の取引に対しステップＳＢ１５にて記憶部５９のポスト情報記憶エリアに記憶された個別識別番号と一致することを確認すると（ステップＳＢ１８：ＹＥＳ）、制御部５８は、この一の取引を終了と判定することになる（ステップＳＢ１０）。
【００５５】
また、上記ステップＳＢ１３において、外部ＩＣタグリーダライタ５５によるＩＣタグ４５からのＩＣタグ情報の読み取り結果から、媒体情報がＩＣタグ４５に記憶されていなければ（ステップＳＢ１３：ＮＯ）、制御部５８は、その取引規制手段５８Ｃが、ＩＣタグ４５のＩＣタグ情報に異常があったと判定し、その後の取引の規制を行う。つまり、制御部５８の取引規制手段５８Ｃは、ポスト３１の電磁ロック３６によるシャッタ３５のロック解除を規制し、投函袋４０のポスト３１への投函を規制するとともに、投函袋４０のＩＣタグ４５への媒体情報の記憶を促す表示を含む警告を表示部２６および音声発生部２９で発生させる（ステップＳＢ２４）。
【００５６】
これを受けて、担当者が、操作キーボード２８に警告解除操作を入力すると（ステップＳＢ２５：ＹＥＳ）、制御部５８は、音声発生部２９の警告音声を停止させるとともに、表示部２６の表示を、警告表示から媒体情報の入力メニューに切り替える。媒体情報として種別を表す種別情報とその金額を特定するための金額特定情報（枚数または金額）とを、すべての種類の媒体について順次操作キーボード２８を介して入力するように、表示部２６により案内表示を行う。この案内表示にしたがって担当者は、上記と同様に、一の種類の媒体について媒体情報である種別情報と金額特定情報とを関連付けて操作キーボード２８で入力し、次の一の種類の媒体について種別情報と金額特定情報とを関連付けて操作キーボード２８で入力するという操作を適宜繰り返し、最後に入力を確定する操作を操作キーボード２８で行う。つまり、制御部５８は、媒体情報である種別情報および金額特定情報の操作キーボード２８を介しての入力を受け付ける入力受付処理を行う（ステップＳＢ２６）。このとき、担当者は、機械受付不可媒体としての新たに生じた汚損貨幣がある場合には、その種別情報および金額特定情報をも入力することになる。
【００５７】
そして、種別情報および金額特定情報を確定する操作が操作キーボード２８に入力されると、制御部５８は、入力受付処理を終了し、再び、投函袋４０の表示ラベル４４を外部ＩＣタグリーダライタ５５に近づけるように表示部２６で案内し、これを見て担当者は、投函袋４０のＩＣタグ４５を外部ＩＣタグリーダライタ５５に近づけることになる。
【００５８】
外部ＩＣタグリーダライタ５５で、ＩＣタグ４５を検出しＩＣタグ情報を読み取ることができると（ステップＳＢ２７：ＹＥＳ）、制御部５８の書込関連付制御手段５８Ａは、このＩＣタグ４５に、外部ＩＣタグリーダライタ５５によって、上記のステップＳＢ２６にて入力されたそれぞれの種別情報および金額特定情報を、記憶担当者識別番号（この場合、取引担当者識別番号と同じとなる）およびその時点の日時情報であるＩＣタグ記憶日時情報とともに媒体情報として記憶する（ステップＳＢ２８）。続いて、制御部５８は、その書込関連付制御手段５８Ａが、ステップＳＢ２８にてＩＣタグ４５に記憶した種別情報、金額特定情報、記憶担当者識別番号およびＩＣタグ記憶日時情報を含む媒体情報と、ステップＳＢ２７で読み取ったこのＩＣタグ４５のＩＣタグ情報に含まれる個別識別番号とを、この一の取引に対し割り当てられた取引識別番号、取引担当者識別番号および取引日時情報と関連付けて記憶部５９のポスト情報記憶エリアに記憶する（ステップＳＢ１５）。つまり、制御部５８の書込関連付制御手段５８Ａは、一の取引に関連して、外部ＩＣタグリーダライタ５５によって、投函袋４０に設けられたＩＣタグ４５を検出すると、当該ＩＣタグ４５に操作キーボード２８の操作入力に基づく機械受付不可媒体の種別を表す種別情報と機械受付不可媒体の金額を特定するための金額特定情報とを含むＩＣタグ情報としての媒体情報を書き込むとともに、当該ＩＣタグ４５の個別識別番号および前記した媒体情報を当該一の取引に対し割り当てられた取引識別番号と関連付けて記憶部５９に記憶する。
【００５９】
そして、制御部５８は、以降、上記と同様に、ポスト３１の電磁ロック３６によるシャッタ３５のロックを解除し（ステップＳＢ１６）、個別読取用内部ＩＣタグリーダ５０が投函袋４０のＩＣタグ４５を検出しそのＩＣタグ情報を読み取ると（ステップＳＢ１７：ＹＥＳ）、その投函確認手段５８Ｂが、このＩＣタグ情報に含まれる個別識別番号が、この一の取引に対しステップＳＢ１５で記憶部５９のポスト情報記憶エリアに記憶した個別識別番号と一致することを確認すると（ステップＳＢ１８：ＹＥＳ）、正常であると判定して、この一の取引を終了と判定することになる（ステップＳＢ１０）。
【００６０】
また、上記ステップＳＢ１１において、操作キーボード２８に媒体情報が記憶されていない旨の入力がなされると（ステップＳＢ１１：ＮＯ）、制御部５８は、表示部２６の表示を、媒体情報の入力メニューに切り替える。つまり、媒体情報として種別を表す種別情報とその金額を特定するための金額特定情報（枚数または金額）とを、すべての種類の媒体について順次操作キーボード２８を介して入力するように、表示部２６により案内表示を行う。この案内表示にしたがって担当者は、一の種類の媒体について媒体情報である種別情報と金額特定情報とを関連付けて操作キーボード２８で入力し、次の一の種類の媒体について種別情報と金額特定情報とを関連付けて操作キーボード２８で入力するという操作を適宜繰り返し、最後に入力を確定する操作を操作キーボード２８で行う。つまり、制御部５８は、上記と同様にして、媒体情報である種別情報および金額特定情報の操作キーボード２８を介しての入力を受け付ける入力受付処理を行う（ステップＳＢ２６）。このとき、機械受付不可媒体としての新たに生じた汚損貨幣がある場合に、担当者は、その種別情報および金額特定情報をも入力することになる。
【００６１】
そして、種別情報および金額特定情報を確定する操作が操作キーボード２８に入力されると、制御部５８は、入力受付処理を終了し、再び、投函袋４０の表示ラベル４４を外部ＩＣタグリーダライタ５５に近づけるように表示部２６で案内し、これを見て担当者は、投函袋４０のＩＣタグ４５を外部ＩＣタグリーダライタ５５に近づけることになる。
【００６２】
外部ＩＣタグリーダライタ５５で、ＩＣタグ４５を検出しそのＩＣタグ情報を読み取ると（ステップＳＢ２７：ＹＥＳ）、制御部５８の書込関連付制御手段５８Ａは、以降、上記と同様に、このＩＣタグ４５に、外部ＩＣタグリーダライタ５５によって、上記ステップＳＢ２６で入力されたそれぞれの種別情報および金額特定情報を、記憶担当者識別番号およびＩＣタグ記憶日時情報とともに媒体情報として記憶し（ステップＳＢ２８）、続いて、これらの種別情報、金額特定情報、記憶担当者識別番号およびＩＣタグ記憶日時情報を含む媒体情報と、ステップＳＢ２７で読み込んだこのＩＣタグ４５のＩＣタグ情報に含まれる個別識別番号とを、この一の取引に対し割り当てられた取引識別番号、取引担当者識別番号および取引日時情報と関連付けて記憶部５９のポスト情報記憶エリアに記憶する（ステップＳＢ１５）。
【００６３】
そして、制御部５８は、以降、上記と同様に、ポスト３１の電磁ロック３６によるシャッタ３５のロックを解除し（ステップＳＢ１６）、個別読取用内部ＩＣタグリーダ５０が投函袋４０のＩＣタグ４５を検出しそのＩＣタグ情報を読み取ると（ステップＳＢ１７：ＹＥＳ）、その投函確認手段５８Ｂが、このＩＣタグ情報に含まれる個別識別番号が、この一の取引に対しステップＳＢ１５で記憶部５９のポスト情報記憶エリアに記憶された個別識別番号と一致することを確認すると（ステップＳＢ１８：ＹＥＳ）、正常であると判定して、制御部５８は、この一の取引を終了と判定することになる（ステップＳＢ１０）。
【００６４】
一の取引を開始すると判定し（ステップＳＢ４）、その後、上記した操作ガイドの中の入金処理が選択されず（ステップＳＢ５：ＮＯ）、操作キーボード２８を介して投函袋回収処理が選択されると（ステップＳＢ２９：ＹＥＳ）、制御部５８は、ポスト３１内のすべての投函袋４０を回収する全回収を選択するか否かの選択入力を促す表示を表示部２６に表示させることになり、全回収の選択操作が入力されると（ステップＳＢ３０：ＹＥＳ）、制御部５８は、その全回収確認手段５８Ｄが、所定時間内に全体読取用内部ＩＣタグリーダ５１ですべてのＩＣタグ４５が検出不可な状態になったか、そうではなく、所定時間経過しても一つでもＩＣタグ４５が検出されているかを確認する（ステップＳＢ３１）。
【００６５】
そして、所定時間内に全体読取用内部ＩＣタグリーダ５１ですべてのＩＣタグ４５が検出不可な状態になると（ステップＳＢ３１：ＮＯ）、制御部５８は、この一の全回収取引で回収されたＩＣタグ４５の個別識別番号を、その全関連情報とともに記憶部５９のポスト情報記憶エリアから、この一の全回収取引に対し割り当てられた取引識別番号に関連付けて記憶部５９の全回収情報記憶エリアに移動記憶させて（ステップＳＢ３２）、この一の取引を終了と判定することになる（ステップＳＢ１０）。これにより、記憶部５９の記憶上、ポスト３１内のＩＣタグ４５はない状態となる。
【００６６】
他方、所定時間経過しても、全体読取用内部ＩＣタグリーダ５１で少なくとも一つのＩＣタグ４５が検出されていると（ステップＳＢ３１：ＹＥＳ）、制御部５８は、表示部２６に警告表示を行うとともに音声発生部２９に警告音声を発生させる（ステップＳＢ３３）。担当者が、操作キーボード２８に警告解除操作を入力すると（ステップＳＢ３４：ＹＥＳ）、制御部５８は、一旦、この一の取引を終了と判定することになる（ステップＳＢ１０）。
【００６７】
また、ステップＳＢ３０で全回収の選択操作ではなく個別回収の選択操作が入力されると（ステップＳＢ３０：ＮＯ）、制御部５８は、回収すべき投函袋４０の投函が行われた取引の取引識別番号または回収すべき投函袋４０の個別識別番号の入力を促す表示を表示部２６に表示させる。これを見て、担当者が取引識別番号または個別識別番号を操作キーボード２８で指定入力すると、制御部５８は、その個別回収確認手段５８Ｅが、これを受け付けることになり（ステップＳＢ３５）、全体読取用内部ＩＣタグリーダ５１で、指定された取引識別番号に対応する個別識別番号または指定された個別識別番号が記憶された取り出し対象の投函袋４０のＩＣタグ４５の個別識別番号のみが検出不可な適正回収状態に所定時間内になったか否かを確認する（ステップＳＢ３６）。
【００６８】
そして、所定時間内に取り出し対象の投函袋４０のＩＣタグ４５の個別識別番号のみが検出不可な適正回収状態になると（ステップＳＢ３６：ＹＥＳ）、この一の取引で回収されたＩＣタグ４５の個別識別番号を、その全関連情報とともに記憶部５９のポスト情報記憶エリアから、この一の個別回収取引に対し割り当てられた取引識別番号に関連付けて記憶部５９の個別回収情報記憶エリアに移動記憶させて（ステップＳＢ３７）、この一の取引を終了と判定することになる（ステップＳＢ１０）。これにより、記憶部５９の記憶上、ポスト３１内にこの個別識別番号のＩＣタグ４５はない状態となる。
【００６９】
他方、所定時間内に取り出し対象の投函袋４０のＩＣタグ４５の個別識別番号が検出不可とならない場合および所定時間内に取り出し対象の投函袋４０のＩＣタグ４５以外の個別識別番号が検出不可となった場合のいずれか一方の場合、適正回収状態になっていないことになるため（ステップＳＢ３６：ＮＯ）、制御部５８は、表示部２６に警告表示を行うとともに音声発生部２９に警告音声を発生させる（ステップＳＢ３８）。担当者が、操作キーボード２８に警告解除操作を入力すると（ステップＳＢ３９：ＹＥＳ）、制御部５８は、一旦、この一の取引を終了と判定することになる（ステップＳＢ１０）。
【００７０】
なお、制御部５８は、そのポスト内確認手段５８Ｆが、例えば取引時以外に所定の時間間隔で、全体読取用内部ＩＣタグリーダ５１でポスト３１内に投函されているすべての投函袋４０のＩＣタグ４５の個別識別番号を読み取って、ポスト３１内のすべてのＩＣタグ４５の個別識別番号が、記憶部５９のポスト情報記憶エリアに記憶済みの個別識別番号と一致するか、不一致であるかを判定するポスト内確認処理を行う。つまり、記憶部５９への記憶上ポスト３１内に収納されているべきすべての投函袋４０のＩＣタグ４５の個別識別番号を、全体読取用内部ＩＣタグリーダ５１で検出できるか否かを確認するのである。
【００７１】
そして、このポスト内確認処理で、ポスト３１内のＩＣタグ４５のすべての個別識別番号と、記憶部５９のポスト情報記憶エリアに記憶済みのすべての個別識別番号とが不一致であると判定すると、制御部５８は、表示部２６に警告表示を行うとともに音声発生部２９に警告音声を発生させる。つまり、ポスト３１内のＩＣタグ４５の個別識別番号のいずれか一つに、記憶部５９に記憶済みの個別識別番号の中に一致するものがない場合と、記憶部５９に記憶済みの個別識別番号のいずれか一つに、ポスト３１内のＩＣタグ４５の個別識別番号の中に一致するものがない場合とについては、不一致であると判定して、警告を行う。
【００７２】
なお、上記した操作ガイドの中の入金処理および投函袋回収処理以外の処理が選択された場合（ステップＳＢ５：ＮＯ，ステップＳＢ２９：ＮＯ）、図示は略すが、制御部５８は、出金処理等の他の選択された処理を実行する。
【００７３】
また、上記投函袋４０のＩＣタグ４５を適宜ＩＣタグリーダで読み取ることで、ＩＣタグ情報として記憶されている種別情報、金額特定情報、記憶担当者識別番号およびＩＣタグ記憶日時情報がいつでもわかることになる。
【００７４】
以上に述べた本実施形態に係る貨幣処理システム１によれば、カードリーダ２７へのＩＤカードの操作および操作キーボード２８への操作入力に基づく一の取引に関連して貨幣処理機２で受け付けた貨幣の取引情報を当該一の取引に対し割り当てられた取引識別番号と関連付けて記憶部５９に記憶することになるが、貨幣処理機２で受け付けできない機械受付不可媒体については、投函袋４０に収納されてポスト３１に投函されることになる。その際に、貨幣処理機２に設けられた外部ＩＣタグリーダライタ５５によって、投函袋４０のＩＣタグ４５を検出すると、制御部５８の書込関連付制御手段５８Ａが、当該ＩＣタグ４５に操作キーボード２８への操作入力に基づく機械受付不可媒体の種別を表す種別情報と機械受付不可媒体の金額を特定するための金額特定情報とを含むＩＣタグ情報としての媒体情報を書き込むとともに、当該ＩＣタグ４５の個別識別番号および媒体情報を当該一の取引に対し割り当てられた取引識別番号と関連付けて記憶部５９に記憶することになる。これにより、一の取引の取引識別番号に対し貨幣処理機２で受け付けた貨幣の取引情報と投函袋４０のＩＣタグ４５の個別識別番号と投函袋４０内の機械受付不可媒体の媒体情報とが関連付けされて記憶されることになる。よって、ポスト３１内の機械受付不可媒体がどの取引に対してのものであるかおよびその中身を示す媒体情報が明確になる。したがって、貨幣処理機２で受け付けることができない機械受付不可媒体の管理を容易且つ良好に行うことができる。
【００７５】
しかも、当該一の取引に関連して投函袋４０がポスト３１内に投函されると、個別読取用内部ＩＣタグリーダ５０によって投函袋４０に設けられたＩＣタグ４５の個別識別番号を読み取ることになり、制御部５８の投函確認手段５８Ｂが、当該個別識別番号が当該一の取引に対し記憶部５９に記憶されている個別識別番号と一致するか否かを確認することになるため、異なる投函袋４０が投入される等の投函ミスを防止することができる。
【００７６】
また、制御部５８のポスト内確認手段５８Ｆが、全体読取用内部ＩＣタグリーダ５１でポスト３１内に投函されているすべての投函袋４０のＩＣタグ４５の個別識別番号を読み取って、すべての個別識別番号と、記憶部５９のポスト情報記憶エリアに記憶済みのすべての個別識別番号とが完全に一致するか、不一致であるかを判定するポスト内確認処理を行うため、ポスト３１内の投函袋４０について、ポスト３１への投函時のみでなく、常時の監視が可能になる。ポスト３１内の投函袋４０の管理がさらに良好になる。
【００７７】
また、ポスト内確認処理が不一致であると、制御部５８のポスト内確認手段５８Ｆが判定すると、表示部２６および音声発生部２９が警告を行うことになるため、不正等が生じた場合に、これを報知することができる。
【００７８】
また、個別読取用内部ＩＣタグリーダ５０によって、ポスト３１内に一の投函袋４０が投函されると該一の投函袋４０のＩＣタグ４５の個別識別番号を読み取ることになり、これとは別の全体読取用内部ＩＣタグリーダ５１によって、ポスト３１内に投函されているすべての投函袋４０のＩＣタグ４５の個別識別番号を読み取ることになるため、それぞれの読み取り精度を向上することができる。
【００７９】
また、操作キーボード２８に全回収操作が入力されると、制御部５８の全回収確認手段５８Ｄが、全体読取用内部ＩＣタグリーダ５１で、ポスト３１内のすべてのＩＣタグ４５が検出不可な状態になったか否かを確認するため、例えばポスト３１内に取り忘れの投函袋４０が残ってしまうこと等を防止できる。
【００８０】
また、操作キーボード２８に取引識別番号または個別識別番号を指定した個別回収操作が入力されると、制御部５８の個別回収確認手段５８Ｅが、全体読取用内部ＩＣタグリーダ５１で、指定された取引識別番号に対応する個別識別番号または指定された個別識別番号が記憶された投函袋のＩＣタグ４５のみがポスト３１内で検出不可な状態になったか否かを確認するため、ポスト３１から間違った投函袋４０が取り出されてしまうこと等を防止できる。
【００８１】
また、貨幣処理機２から遠隔位置に設けられたパーソナルコンピュータ３の操作部６１への媒体情報の入力に基づいて貨幣処理機２から遠隔位置に設けられたパーソナルコンピュータ３のＩＣタグライタ６３が媒体情報を投函袋４０のＩＣタグ４５に書き込むことになり、これにより、操作者が例えば自席でＩＣタグ４５に媒体情報を記憶させることができる。
【００８２】
また、貨幣処理機２に設けられた外部ＩＣタグリーダライタ５５によって、操作キーボード２８への操作入力に基づいて投函袋４０のＩＣタグ４５に記憶された媒体情報を書き換えることができる。したがって、貨幣処理機２で受け付けられない汚損貨幣等の機械受付不可媒体が新たに生じる等、機械受付不可媒体に変更があった場合に対応できる。
【００８３】
また、媒体情報が、少なくとも、機械受付不可媒体の種別を表す種別情報と、機械受付不可媒体の金額を特定するための金額特定情報とを含むため、管理上有効な情報を得ることができる。
【００８４】
また、制御部５８の取引規制手段５８Ｃが、ポスト３１外の外部ＩＣタグリーダライタ５５でポスト３１に投函前の投函袋４０のＩＣタグ４５から読み取ったＩＣタグ情報に異常を検出すると、取引の規制を行うことになるため、ＩＣタグ情報に媒体情報が含まれていない場合やＩＣタグ４５の個別識別番号に異常があり正常に読み取れない場合等に、そのまま以後の取引が行われてしまうことを防止できる。
【００８５】
また、制御部５８が、貨幣処理機２に対して遠隔位置に設けられたパーソナルコンピュータ３の操作部６１およびＩＣタグライタ６３によって事前にＩＣタグ４５に媒体情報が書き込まれている場合には、ステップＳＢ１２，ＳＢ１３によって、事前入力した媒体情報を確認の上で、ステップＳＢ１４で修正するか否かを選択できることになる。このように修正するか否かを選択できることから、媒体情報を修正する際の安全性を高めることが可能となる。そして、ステップＳＢ１４によって書き換えの確認をした上で、ステップＳＢ２１〜ＳＢ２３において媒体情報を書き換えることができる。
【符号の説明】
【００８６】
１  貨幣処理システム
２  貨幣処理機
２６  表示部（警告手段）
２７  カードリーダ（操作入力手段）
２８  操作キーボード（操作入力手段）
２９  音声発生部（警告手段）
３１  ポスト
４０  投函袋
４５  ＩＣタグ
５０  個別読取用内部ＩＣタグリーダ（内部ＩＣタグリーダ）
５１  全体読取用内部ＩＣタグリーダ（内部ＩＣタグリーダ）
５５  外部ＩＣタグリーダライタ
５８  制御部
５８Ａ  書込関連付制御手段
５８Ｂ  投函確認手段
５８Ｃ  取引規制手段
５８Ｄ  全回収確認手段
５８Ｅ  個別回収確認手段
５８Ｆ  ポスト内確認手段
５９  記憶部（記憶手段）
【図１】
2010198450.tif 000003
【図２】
2010198450.tif 000004
【図３】
2010198450.tif 000005
【図４】
2010198450.tif 000006
【図５】
2010198450.tif 000007
【図６】
2010198450.tif 000008
【図７】
2010198450.tif 000009
【図８】
2010198450.tif 000010